(57)【要約】【課題】本発明は、第１の部材と第２の部材から構成されるストラップガイド壁において、第１の部材と第２の部材の結合部に、傾斜された状態を作り出すことで、各部材の寸法のバラツキに依存せず、滑らかにストラップを通すことができるストラップ取付構造を提供する。【解決手段】本実施の形態のストラップ取付構造は、ストラップを通す通路を有するストラップ取付構造であって、前記通路は、前記ストラップを通すための少なくとも２つの貫通口と、一方の貫通口から挿入された前記ストラップを他方の貫通口まで導くガイド部で構成され、前記ガイド部は、前記貫通口を構成する第１の部材に第２の部材を勘合させて構成され、前記第２の部材は、前記第１の部材と比較して傾斜を設けて構成する。【選択図】図１
2011186113.tif 000002
【特許請求の範囲】
【請求項１】
ストラップを通す通路を有するストラップ取付構造であって、
前記通路は、前記ストラップを通すための少なくとも２つの貫通口と、一方の貫通口から挿入された前記ストラップを他方の貫通口まで導くガイド部で構成され、
前記ガイド部は、前記貫通口を構成する第１の部材に第２の部材を勘合させて構成され、
前記第２の部材は、前記第１の部材と比較して傾斜を設けて構成することを特徴とするストラップ取付構造。
【発明の詳細な説明】
【技術分野】
【０００１】
本発明は、機器にストラップを取り付けるストラップ取付構造に関し、特に、ストラップが通るスペースが複数部材で勘合されて成型されるストラップ取付構造に関するものである。
【背景技術】
【０００２】
従来、ストラップ取付構造は、電子機器本体の内部にストラップ挿通孔が形成されるものとして、ストラップ挿通孔のストラップガイド壁に傾斜を設けて、滑らかなストラップの通りを実現する構造が知られている。
【０００３】
特許文献１では、双眼鏡のストラップ構造として、複数部材を勘合させて、鏡筒本体内に傾斜を持つストラップガイド壁を設け、ストラップが滑らかに通るストラップ挿通孔を形成することが開示されている。
【０００４】
このように、従来のストラップ取付構造は、傾斜を有するストラップガイド壁をストラップ挿通孔内に設けることにより、ストラップを滑らかに通すことができる。
【先行技術文献】
【特許文献】
【０００５】
【特許文献１】特開平８−１９４１６８号公報
【発明の概要】
【発明が解決しようとする課題】
【０００６】
しかしながら、従来のストラップ取付構造は、複数部材を勘合させて、傾斜を有するストラップガイド壁を持つストラップ挿通孔を形成したが、各部材の成型品寸法のバラツキにより、部材の組み合わせによっては、ストラップ挿入方向から見たときに接合部に凸部が生じ、ストラップの通りが困難になるという問題があった。
【０００７】
そこで、本発明は、上記従来の問題点を解決すべく、バラツキを持つ部材の組み合わせでも、ストラップが滑らかに通るストラップ挿通孔を提供することを目的とする。
【課題を解決するための手段】
【０００８】
上記目的を達成するために、本発明のストラップ取付構造は、ストラップを通す通路を有するストラップ取付構造であって、前記通路は、前記ストラップを通すための少なくとも２つの貫通口と、一方の貫通口から挿入された前記ストラップを他方の貫通口まで導くガイド部で構成され、前記ガイド部は、前記貫通口を構成する第1の部材に第2の部材を勘合させて構成され、前記第2の部材は、前記第1の部材と比較して傾斜を設けて構成することを特徴としたものである。
【発明の効果】
【０００９】
上記の構成によれば、第１の部材と第２の部材から構成されるストラップガイド壁において、第１の部材と第２の部材の結合部に、傾斜された状態を作り出すことで、各部材の寸法のバラツキに依存せず、滑らかにストラップを通すことができるストラップ取付構造を提供できる。
【図面の簡単な説明】
【００１０】
【図１】実施の形態１にかかるスピーカボックスの底面を示す正面図
【図２】実施の形態１にかかるスピーカボックスの背面キャビネットを示す図
【図３】実施の形態１にかかるスピーカボックスのＡ−Ａ´断面図
【図４】実施の形態１にかかるスピーカボックスにおいてストラップが挿入された状態を示す図
【発明を実施するための形態】
【００１１】
以下、本発明のストラップ取付構造の実施の形態について、ストラップ取付構造を有するスピーカボックスを例に、図面を参照しながら説明する。
（実施の形態１）
図１は、実施の形態１にかかるスピーカボックスの底面を示す正面図である。
【００１２】
図２は、実施の形態１にかかるスピーカボックスの背面キャビネットを示す図である。図２（ａ）は、背面キャビネットの裏面を示す斜視図、図２（ｂ）はその側面図である。
【００１３】
スピーカボックス１００は、ストラップ挿通孔１０１、１０２を有する第１の部材１０３と、第２の部材１０４から構成される。
【００１４】
ストラップ挿通孔１０１は、ストラップの一端を挿入する入口である。ストラップ挿通孔１０２は、ストラップ挿通孔１０１より挿入されたストラップ１０８の一端の出口である。なお、本実施の形態では、ストラップ挿通孔１０１、１０２はそれぞれ入口、出口として説明するが、反対にそれぞれ出口、入口であってもよい。
【００１５】
第１の部材１０３は、スピーカボックス１００の背面キャビネットである。
【００１６】
第２の部材１０４は、第1の部材１０３に結合され、スピーカボックス１００の密閉を保つ。
【００１７】
図３は、スピーカボックスのＡ−Ａ´断面図を示す。
【００１８】
第１の部材１０３は、ストラップガイド壁１０５、１０６で構成される。
【００１９】
ストラップガイド壁１０５と１０６は、ストラップ１０８の挿入を容易にするように、スピーカボックス１００の内側に向かって滑らかな傾斜を持つ。
【００２０】
第２の部材１０４は、スピーカボックス１００の密閉を保つ為に、結合部１０７で第1の部材と結合する。結合部１０７は、第1の部材と比較して、ストラップ１０８が挿入される方向が低くなるように傾斜している。
【００２１】
これにより、ストラップ挿通孔１０１、１０２の間に、ストラップ挿入スペースが構成される。ストラップ挿通孔１０１から挿入されたストラップ１０８は、ストラップガイド壁１０５、第2の部材１０４の結合部１０７、ストラップガイド壁１０６でガイドされ、ストラップ挿入スペース内を通り抜ける。
【００２２】
次に、スピーカボックスのストラップ挿通孔１０１にストラップを挿入した状態を説明する。
【００２３】
図４は、ストラップが挿入された状態を示す図である。
【００２４】
第１の部材１０３と第２の部材１０４は、完全に密閉されている。ユーザーはスピーカボックスを壁掛けで用いる際、ストラップ挿通孔１０１からストラップの一端を入れ、ストラップガイド壁１０５、結合部１０７、ストラップガイド壁１０６を通り、ストラップ挿通孔１０２からストラップの一端を出す。その際ストラップガイド壁１０５と結合部１０７の接合部において、ストラップガイド壁１０５に対して結合部１０７が凹部となりやすく、結合部１０７とストラップガイド壁１０６の接合部において、ストラップガイド壁１０６に対して結合部１０７が凸部となる。これによって、ストラップ挿通孔１０１からのストラップ挿入に対して、ストラップが滑らかに通りやすくなる。
【産業上の利用可能性】
【００２５】
本発明は、機器にストラップを取り付けるストラップ取付構造に関し、特に、ストラップが通るスペースが複数部材で勘合されて成型されるストラップ取付構造に関するものであって、第１の部材と第２の部材から構成されるストラップガイド壁において、第１の部材と第２の部材の結合部に、傾斜された状態を作り出すことで、各部材の寸法のバラツキに依存せず、滑らかにストラップを通すことができるストラップ取付構造を提供できる。そのため、本発明は、ストラップを通すことで持ちやすくしたり、壁に取り付けることができる機器に適用できる。
【符号の説明】
【００２６】
１００  スピーカボックス
１０１、１０２  ストラップ挿通孔
１０３  第1の部材
１０４  第２の部材
１０５、１０６  ストラップガイド壁
１０７  結合部
１０８  ストラップ
【図１】
2011186113.tif 000003
【図２】
2011186113.tif 000004
【図３】
2011186113.tif 000005
【図４】
2011186113.tif 000006